(57)【要約】【課題】  基礎高の高低に適合させて全長を大幅に高さ調整できると共に、特にアンカーボルトの下端側と支柱部材の上端側を連結するアンカー支持部を昇降移動させ、各アンカーボルトを一括して高さ調整可能にしたことを主たる目的とする。【解決手段】  基礎地盤２１と連結するベース部Ａと、下端側をベース部Ａに連結した各支柱部材２２で下部側構造体が構成されると共に、下端側をアンカー支持部Ｂに連結して上端側をテンプレート部Ｃに連結した各アンカーボルト２３で上部側構造体が構成され、アンカー支持部Ｂには支柱部材２２を着脱可能に連結する連結具３５，３６を設け、アンカー支持部Ｂを介して上部側構造体が下部構造体の支柱部材２２に対し、一括して高さ調整可能に連結したことを特徴とする柱脚用アンカーボルトの支持装置２０である。【選択図】        図２        
2005282208.tif 000002
【特許請求の範囲】
【請求項１】
基礎地盤と連結するベース部と、下端側をベース部に連結した各支柱部材で下部側構造体が構成されると共に、下端側をアンカー支持部に連結して上端側をテンプレート部に連結した各アンカーボルトで上部側構造体が構成され、アンカー支持部には支柱部材を着脱可能に連結する連結具を設け、アンカー支持部を介して上部側構造体が下部構造体の支柱部材に対し、一括して高さ調整可能に連結したことを特徴とする柱脚用アンカーボルトの支持装置。
【請求項２】
前記アンカー支持部には、アンカーボルトの下端側を挿通して着脱可能に連結する連結具を設け、アンカー支持部に対してアンカーボルトを高さ調整可能に連結した請求項１に記載した柱脚用アンカーボルトの支持装置。
【請求項３】
前記下部構造体には、各支柱部材を相互に連結して補強する中間補強部を、ベース部とアンカー支持部との中間位置に設けた請求項１又は２に記載した柱脚用アンカーボルトの支持装置。
【請求項４】
前記中間補強部には、各支柱部材を挿通して着脱可能に連結すると共に、中間補強部を各支柱部材に沿って昇降移動可能にする連結具を設けた請求項３に記載した柱脚用アンカーボルトの支持装置。
【請求項５】
前記アンカー支持部には、方形枠状に形成したアンカー連結部材に支圧板を設けると共に、この支圧板のねじ孔に押圧ねじを螺合した連結具を設け、押圧ねじを締め付けて支柱部材を多点支持状態でアンカー連結部材に圧接させる請求項１〜４のいずれかに記載した柱脚用アンカーボルトの支持装置。
【請求項６】
前記支柱部材には丸棒又は角棒の鋼棒を用いる請求項５に記載した柱脚用アンカーボルトの支持装置。
【請求項７】
前記ベース部は、支柱部材の本数と同数の各ベース部材で構成し、各支柱部材を分離独立させると共に、各ベース部材には支柱部材の下端側を挿通して着脱可能に連結する連結具を設けた請求項１〜６のいずれかに記載した柱脚用アンカーボルトの支持装置。
【発明の詳細な説明】
【技術分野】
【０００１】
本発明は、建物の柱からの応力を基礎に伝達するために、基礎地盤上に立設してアンカーボルトを支持すると共に、柱脚に連結するアンカーボルトの上端ねじ部を突出する態様で基礎コンクリート中に埋設される柱脚用アンカーボルトの支持装置に関する。
【背景技術】
【０００２】
この種の柱脚用アンカーボルトの支持装置を用いる露出形固定柱脚では、例えば図１で示すアンカーボルトの支持装置１のように、基礎地盤２の捨てコンクリート上に設けたベース部１Ａと、ベース部１Ａから立設した支柱部材３と、支柱部材３の上端側に設けたアンカー支持部１Ｂと、アンカー支持部１Ｂを介して支柱部材３に連結されるアンカーボルト４と、アンカーボルト４の上端側に設けたテンプレート部１Ｃで構成されている。
【０００３】
ベース部１Ａは、左右に平行配置した一対の第１のベース部材５，５と、前後に平行配置した一対の第２のベース部材６，６を備え、第１のベース部材５はＬ字状で水平片５ａをウォールアンカー７とナット８で基礎地盤２上に固着すると共に、垂直片５ｂには支柱部材３の下端側をボルト９とナット１０で固着し、第１のベース部材５，５の間には第２のベース部材６，６を架設し、両端側をボルト１１とナット１２で固着して連結する。
【０００４】
アンカー支持部１Ｂは、Ｌ字状の支柱部材３に方形状の支持部材１４をボルト１３で固着し、支持部材１４内にアンカーボルト４を挿通して所望の高さ位置に設定し、支柱部材３に螺合した連結ボルト１５を締め付けて、アンカーボルト４を支柱部材３に連結保持させており、特に支柱部材３の角部からアンカーボルト４を遠ざかる方向に押圧し、支柱部材３の角部とアンカーボルト４との間に空隙を設け、打設するコンクリートの粗骨材が充填できるようにしている。
【０００５】
テンプレート部１Ｃは、４枚のテンプレート１６を互いに直交するようにして方形状に組み合わせ、テンプレート１６の角部にアンカーボルト４の上端ねじ部４ａを挿通させると共に、上端ねじ部４ａに螺合させた上下一対のナット１７によってテンプレート１６を挟持し、これによって各アンカーボルト４の相互間隔が規定される。
【０００６】
しかしながら、図１のようなアンカーボルトの支持装置１には、改善を必要とする幾つかの課題が残されており、例えばベース部１Ａでは方形枠状にしたベース部材５，６を介して各支柱部材３が強固な状態で一体に連結されているので、ベース部１Ａを設置する基礎地盤２の捨てコンクリートに不陸がある場合には、各支柱部材３は高さや傾きが不均一になり、高さ方向に対してはアンカー支持部１Ｂの調整によって補正することができるが、傾き方向に対しては補正することが困難である（課題１）。
【０００７】
また、アンカー支持部１Ｂでは連結ボルト１５の締め付けを緩めた状態にすると、各アンカーボルト４を昇降移動させて各支柱部材３とのオーバーラップする長さを可変し、上端ねじ部４ａの高さ位置を大幅に調整できるので、長さを一定にした少品種の支柱部材３及びアンカーボルト４によって、基礎高の異なる基礎コンクリートに適合させることが可能であるが、高い位置にあるテンプレート１Ｃに対して架設足場などを設け、均等に引き上げ又は引き下げ操作する必要があるので、容易且つ安全に調整操作を行うことが困難であった（課題２）。
【０００８】
また、各支柱部材３や各アンカーボルト４には鉄筋によるの配筋類が組み付けられるので、これらのの配筋類の組み付け作業を妨げない十分なスペースが必要であるが、支柱部材３にアングル材を使用すると共に、低い基礎高でアンカーボルト４に対してオーバーラップする長さが長くなり、アンカーボルト４側に大きく突出して配筋類の組み付け作業に必要なスペースが減少し、特にアンカーボルト４の本数が多くなると必要ななスペースを十分確保できなくなり（課題３）、高い基礎高でアンカーボルト４に対してオーバーラップする長さが長くなると、剛性が低下して平行四辺形状（平面から見て）に撓み変形する恐れがある（課題４）。
【０００９】
さらに、この種のアンカーボルトの支持装置に関する先行技術として、例えば特許文献１及び特許文献２に開示されているような提案もあるが、特許文献１の場合には、ベース部とアンカー支持部との間に拘束部材を設けたことによって、上記課題４は解消することができるが、その他の構成は図１と同様であるから、上記課題１〜３を解消することができないと共に、上記拘束部材によって各支柱部材が一体に固着されているので、この拘束の高さ位置を可変すること及び、捨てコンクリートの不陸に適合させて各支柱部材を個別に高さ調整することができない。
【００１０】
一方特許文献２の場合には、鋼棒を用いた支柱部材に対して、アンカーボルトよりより下側の位置で、ねじ軸の範囲内での小幅な高さ調整を行っているので、課題３及び４に関しては解消することができると共に、課題１に関してはベース部を分離独立させているので、各支柱部材の高さを個別に調整できるが、課題２に関してはねじ軸の範囲内での小幅な高さ調整なので、基礎高の高低に適合させた大幅な高さ調整を行うことができない。
【００１１】
【特許文献１】特開２０００−３１４１３８号公報
【特許文献２】特開２００４−３６１０３号公報
【発明の開示】
【発明が解決しようとする課題】
【００１２】
そこで本発明では、これら従来技術の課題を解決し得る柱脚用アンカーボルトの支持装置を提供するが、特許文献１の場合と同様に基礎高の高低に適合させて、全長を大幅に高さ調整できると共に、支柱部材には特許文献２の場合と同様に鋼棒を用い、オーバーラップしてアンカーボルト側に突出した支柱部材の上端側が、配筋類の組み付け作業を阻害しないようにしており、特にアンカーボルトの下端側と鋼棒による支柱部材の上端側を連結するアンカー支持部を中間に設け、このアンカー支持部を昇降移動させることによって、各アンカーボルトを一括して高さ調整可能にしたことを主たる目的とする。
【００１３】
また、基礎高が高くアンカーボルトの支持装置の全長を長く調整したい場合や、捨てコンクリートの不陸に適合させて各支柱部材を個別に高さ調整できるように、ベース部で各支柱部材を分離独立させた場合には、特許文献１の場合と同様にベース部とアンカー支持部との間に中間補強部材を設け、剛性が低下して平行四辺形状（平面から見て）に撓み変形することを防止することが可能であるが、この中間補強部材が特許文献１の拘束部材による弊害を解消し得る構成にしたことを他の目的とする。
【課題を解決するための手段】
【００１４】
本発明による柱脚用アンカーボルトの支持装置は、基礎地盤と連結するベース部と、下端側をベース部に連結した各支柱部材で下部側構造体が構成されると共に、下端側をアンカー支持部に連結して上端側をテンプレート部に連結した各アンカーボルトで上部側構造体が構成され、アンカー支持部には支柱部材を着脱可能に連結する連結具を設け、アンカー支持部を介して上部側構造体が下部構造体の支柱部材に対し、一括して高さ調整可能に連結している。（請求項１）
【００１５】
請求項１におけるアンカー支持部には、アンカーボルトの下端側を挿通して着脱可能に連結する連結具を設け、アンカー支持部に対してアンカーボルトを高さ調整可能に連結した形態を採ることができる。（請求項２）
【００１６】
請求項１又は２における下部構造体には、各支柱部材を相互に連結して補強する中間補強部を、ベース部とアンカー支持部との中間位置に設けた形態を採ることができる。（請求項３）
【００１７】
請求項３における中間補強部には、各支柱部材を挿通して着脱可能に連結すると共に、中間補強部を各支柱部材に沿って昇降移動可能にする連結具を設けた形態を採ることができる。（請求項４）
【００１８】
請求項１〜４におけるアンカー支持部には、方形枠状に形成したアンカー連結部材に支圧板を設けると共に、この支圧板のねじ孔に押圧ねじを螺合した連結具を設け、押圧ねじを締め付けて支柱部材を多点支持状態でアンカー連結部材に圧接させる形態を採ることができる。（請求項５）
【００１９】
請求項５における支柱部材には丸棒又は角棒の鋼棒を用いる形態を採ることができる。（請求項６）
【００２０】
請求項１〜６におけるベース部は、支柱部材の本数と同数の各ベース部材で構成し、各支柱部材を分離独立させると共に、各ベース部材には支柱部材の下端側を挿通して着脱可能に連結する連結具を設けた形態を採ることができる。（請求項７）
【発明の効果】
【００２１】
請求項１による柱脚用アンカーボルトの支持装置では、アンカー支持部の連結具を操作して支柱部材との連結を解放すると、アンカーボルトを含む上部側構造体を昇降移動することが可能となり、支柱部材の上端側がアンカーボルトの下端側とオーバーラップする範囲内で大幅な高さ調整できるので、長さを一定にした少品種の支柱部材及びアンカーボルトによって基礎高の高低に適合させることが可能であると共に、長さの異なる複数種の支柱部材を用意しておくと、アンカーボルトの両端にテンプレート部とアンカー支持部を設けた１種類の上部側構造体によって、さらに大幅な高さ調整が可能である。
【００２２】
また、上部側構造体と下部構造体をアンカー支持部で分解及び組み立てすることができるので、上部側構造体を予め工場などで組み立てておき、現場施工した支柱部材を含む下部側構造体に組み付けることによって、作業能率の向上及び施工費の低減を図ることが可能であり、１種又は少品種の長さが異なる支柱部材を用意しておくだけで、共通の上部側構造体を用いて基礎高の高低に適合させることが可能である。
【００２３】
さらに、高さ調整を行う際には中段に位置するアンカー連結部を昇降移動させると、アンカーボルトを含む上部側構造体の全体を昇降移動することが可能であるから、特許文献１のように上段に位置するテンプレート部を支持した状態で、上部構造体を昇降移動させながら高さ調整を行う場合に比べると、格別に足場などを設けなくても容易且つ安全に高さ調整作業を行うことが可能であり、特にアンカー連結部を一旦最下段まで降ろした後に、ジャッキなどを用いてアンカー連結部を押し上げて高さ調整を行うと、一段と容易で且つ安全に高さ調整作業を行うことができる。
【００２４】
請求項２による柱脚用アンカーボルトの支持装置では、アンカーボルトの下端側が連結具を介してアンカー支持部と高さ調整可能に連結されているので、下端側が直状のアンカーボルトは勿論、下端側がＵ字状やＬ字状に湾曲したアンカーボルトにも適用することができると共に、アンカー支持部に対してアンカーボルトを含む上部側昇降移動を昇降移動させて高さ調整を行い、アンカー支持部と支柱部材間の高さ調整と併用すると一段と大幅な高さ調整が可能となり、より少品種の支柱部材及びアンカーボルトによって基礎高の異なる柱脚に適応でき、コストの低減及び部品の在庫管理の容易化を図ることができる。
【００２５】
請求項３及び請求項４による柱脚用アンカーボルトの支持装置では、下部構造体に対して各支柱部材を相互に連結中間補強部を設けたことにより、基礎高が高くて支柱部材を長くした場合や、ベース部を分離独立させた場合などに、各支柱部材が平行四辺形上に撓み変形することを防止できると共に、アンカーボルトの高さ調整をする際に、アンカー支持部に対する下限のストッパーとして機能させることもでき、特に請求項４のように支柱部材に沿って昇降移動可能にすると、基礎高に適合させて上部側構造体の高さ調整を行った際に、ベース部とアンカー支持部との中間位置の中でも補強に最も効果的な位置に設定して装着することができる。
【００２６】
請求項５及び請求項６による柱脚用アンカーボルトの支持装置では、支圧板のねじ孔に螺合した押圧ねじを締め付けたり緩めたりする簡単な操作によって、アンカー支持部のアンカー連結部材に対して各支柱部材を着脱可能に連結して係止保持することができ、特に請求項６のように支柱部材に鋼棒を使用すると、従来技術のアングル材による支柱部材に比べて安価であること、外径が小さくてスペースを取らないので、支柱部材の上端側がアンカーボルトに突出しても配筋類の組み付け作業を阻害しない。
【００２７】
請求項７による柱脚用アンカーボルトの支持装置では、各支柱部材を分離独立させることによって、捨てコンクリートの凹凸や杭の突出などによって基礎地盤に不陸を生じた場合でも、個別に嵩上げして補正することができると共に、各ベース部材には支柱部材の下端側を挿通して着脱可能に連結することによって、ベース部に対する支柱部材の取付作業を容易にすることができる。
【実施例】
【００２８】
本発明による柱脚用アンカーボルトの支持装置について、本発明を適用した好適な実施形態を示す図２〜１２の添付図面に基づいて詳細に説明するが、図２は第１の実施形態によるアンカーボルトの支持装置２０の全体正面図であって、基礎地盤２１の捨てコンクリート上に設けたベース部Ａと、ベース部Ａから立設した鋼棒による支柱部材２２と、支柱部材２２の上端側に設けたアンカー支持部Ｂと、アンカー支持部Ｂを介して支柱部材２２に連結されるアンカーボルト２３と、アンカーボルト２３の上端側に設けたテンプレート部Ｃで構成されている。
【００２９】
ベース部Ａは、図３で示す部分平面図及び図４で示す要部斜視図のように、基礎地盤２１中に埋設して上端側を基礎地盤２１上へ突設したウォールアンカー２５に固着するベース部材２４と、アンカーボルト２３の下端側を連結する連結具２８とを備え、ベース部材２４は断面形状をＬ字状をした長尺な一対のアングル材を、左右又は前後（図示では左右）に対向状で平行に配置してベース部材２４Ａ，２４Ｂを構成し、各ベース部材２４は水平片に穿設した取付け孔２９にウォールアンカー２５の上端側に形成したねじ軸を挿通させ、スペーサ２６及びナット２７を介して基礎地盤２１上に固着している。
【００３０】
連結具２８は、断面形状がコ字状で各ベース部材２４の両端側の垂直片に溶接その他の固着手段で水平片が連結され、上下の水平片には上下連通状態で五角形状の挿通孔３０を穿設すると共に、垂直片には各ベース部材２４の垂直片に設けた通孔から挿入された押圧ねじ３１が螺合するねじ孔が穿設されており、挿通孔３０にアンカーボルト２３の下端側を挿通して押圧ねじ３１を締め付けると、押圧ねじ３１に押圧されたアンカーボルト２３は挿通孔３０の内面に圧接し、多点支持状態で固着してベース部Ａに連結される。
【００３１】
アンカー支持部Ｂは、図５で示す部分平面図及び図６で示す要部斜視図のように、複数の各支柱部材２２及びアンカーボルト２３を一括して取り扱う方形枠状のアンカー連結部材３２と、アンカー連結部材３２に支柱部材２２の上端側を連結する連結具３３と、アンカー連結部材３２にアンカーボルト２３の下端側を連結する連結具３４とを備え、アンカー連結部材３２はＬ字状をした４本のアングル材などによる枠材の端部を溶接その他の固着手段で相互に連結し、方形枠状に形成されている。
【００３２】
連結具３３は、隣接する枠材の垂直片に溶接その他の固着手段で両端を連結した支圧板３５を、アンカー連結部材３２の角隅部にそれぞれ設けると共に、この支圧板３５に穿設したねじ孔に押圧ねじ３６を螺合させ、押圧ねじ３６を締め付けてアンカー連結部材３２の角隅部に挿通した各支柱部材２２を押圧すると、支柱部材２２をアンカー連結部材３２の角隅部に圧接した状態で固着してアンカー支持部Ｂに連結することができる。
【００３３】
連結具３４は、アンカー連結部材３２の水平片に取付け孔３７を穿設し、この取付け孔３７にアンカーボルト２３の下端側のねじ軸２３ｂを挿通すると共に、ねじ軸２３ｂに螺合するナット３８及びナット３９を水平片の上下位置に介在させ、各ナット３８，３９を締め付けて水平片を狭持することによって、アンカーボルト２３をアンカー連結部材３２に固着してアンカー支持部Ｂに連結することができる。
【００３４】
テンプレート部Ｃは、テンプレート４０の外周側にアンカーボルト２３の本数（図示の実施形態では８本）に適合する複数の取付け孔４１を設け、この取付け孔４１にアンカーボルト２３の上端側のねじ軸２３ａを挿通すると共に、ねじ軸２３ａに螺合するナット４２及びナット４３をテンプレート４０の上下位置に介在させ、各ナット４２，４３を締め付けてテンプレート４０を狭持することによって、アンカーボルト２３をテンプレート４０に固着してテンプレート部Ｃに連結することができる。
【００３５】
これにより、ベース部Ａと、下端側をベース部Ａに連結した各支柱部材２２で下部側構造体が構成されると共に、下端側をアンカー支持部Ｂに連結して上端側をテンプレート部Ｃに連結した各アンカーボルト２３で上部側構造体が構成され、アンカー支持部Ｂのアンカー連結部材３２に対して支柱部材２２を着脱可能に連結することによって、下部構造体に対して上部側構造体を昇降移動可能にしている。
【００３６】
以上の第１の実施形態によるアンカーボルトの支持装置２０では、アンカー支持部Ｂにおける連結具３３の押圧ねじ３６を緩めると、支柱部材２２に対してアンカー連結部材３２を昇降移動させ、テンプレート部Ｃとの間に連結された各アンカーボルト２３の高さ位置を一括して可変することが可能であるから、基礎高の高低に適合させて上端側のねじ軸２３ａの先端を所望な高さ位置に設定することができると共に、連結具３３の押圧ねじ３６を締め付けて設定した高さ位置で固定支持することができる。
【００３７】
このアンカーボルトの支持装置２０によると、支柱部材２２の上端側がアンカーボルト２３の下端側とオーバーラップする範囲内で大幅な高さ調整できるので、長さを一定にした少品種の支柱部材２２及びアンカーボルト２３によって基礎高の高低に適合させることが可能であると共に、長さの異なる複数種の支柱部材２２を用意しておくと、アンカーボルト２３の両端にテンプレート部Ｃとアンカー支持部Ｂを設けた１種類の上部側構造体によって、さらに大幅な高さ調整が可能である。
【００３８】
また、高さ調整を行う際には連結具３３の押圧ねじ３６を緩めた状態でアンカー連結部材３２を最下段まで降ろし、ジャッキなどを用いてアンカー連結部材３２を中段まで押し上げて所望の高さ位置に容易且つ安全に設定することが可能であること、アンカーボルト２３とオーバーラップ状態で突出した支柱部材２２は、従来技術によるアングル材とは異なって鋼棒であるから、余り大きなスペースを必要としないで配筋類の組み付け作業を損なわないこと、アンカーボルト２３を含む上部側構造体を予め工場などで組み立て、現場施工した支柱部材２２を含む下部側構造体に組み付けることによって、作業能率の向上及び施工費の低減を図ることが可能であること、などの効果を期待することができる。
【００３９】
次に、図８〜９で第２の実施形態によるアンカーボルトの支持装置４４に付いて説明するが、このアンカーボルトの支持装置４４では例えば基礎高が高くて支柱部材２２を長くした場合や、基礎コンクリートの不陸に対して各支柱部材２２毎に個別に補正できるように、ベース部を分離独立させた場合などに、各支柱部材２２が平行四辺形上に撓み変形することを防止するために、支柱部材２２の途中に中間補強部Ｄを設けて補強するようにしたものである。
【００４０】
また、この中間補強部Ｄは第１の実施形態のように、ベース部Ａに長尺な一対のアングル材によるベース部材２４（２４Ａ，２４Ｂ）を用いて場合にも適用することができるが、特に基礎コンクリートの不陸に対して各支柱部材２２毎に個別に補正できるように、ベース部を分離独立させた場合を例示しており、その他の構成は第１の実施形態の場合と同様であるから、同様の部材には同一の符号を付して詳細な説明は省略する。
【００４１】
ベース部Ａは、図９で示す部分平面図のように、断面形状がＬ字状をした短尺な４個のアングル材でベース部材２４（２４Ａ１，２４Ａ２，２４Ｂ１，２４Ｂ２）を形成し、これらの分離独立させた各ベース部材２４をウォールアンカー２５で基礎地盤２１上に固着すると共に、各ベース部材２４に取り付けた連結具２８には押圧ねじ３１で各支柱部材２２の下端側を固着させ、仮に杭頭部４５の露出その他で基礎コンクリートに不陸が生じた場合には、図８で示すように一部のベース部材２４を嵩上げした状態で対処し、高さ及び傾きを補正することができる。
【００４２】
中間補強部Ｄは、図１０で示す部分平面図のように、断面形状がＬ字状をした長尺な２本のアングル材による補強部材４６（４６Ａ，４６Ｂ）を、Ｘ状に交差させて各水平片の中央をねじその他の固着手段で固着すると共に、各垂直片の間に補助アングル４７を設けてねじその他の固着手段で固着して連結させ、各補強部材４６Ａ，４６Ｂの両端部には各支柱部材２２に対する連結具４８をそれぞれ設け、対角状の各支柱部材２２間を相互に連結させている。
【００４３】
連結具４８は、連結具２８の場合と同様の構成であって、断面形状がコ字状で各補強部材４６Ａ，４６Ｂの両端側に垂直片を溶接その他の固着手段で連結し、上下の水平片には上下連通状態で五角形状の挿通孔４９を穿設すると共に、垂直片には押圧ねじ５０が螺合するねじ孔が穿設されており、挿通孔４９に支柱部材２２を挿通して押圧ねじ５０を締め付けると、押圧ねじ５０に押圧された支柱部材２２は挿通孔４９の内面に圧接し、多点支持状態で固着して中間補強部Ｄに連結される。
【００４４】
このように、第２の実施形態によるアンカーボルトの支持装置４４では、中間補強部Ｄを設けて対角状の各支柱部材２２間を相互に連結させ、基礎高が高くて支柱部材２２を長くした場合や、ベース部を分離独立させた場合などに、各支柱部材２２が平行四辺形上に撓み変形することを防止することが可能であり、この中間補強部Ｄは押圧ねじ５０を緩めた状態にしてスライドさせ、所望な高さ位置に設定することができると共に、アンカーボルト２３を含む上部側構造体を設置したり、アンカーボルト２３の高さ調整をする際に、アンカー支持部Ｂに対する下限のストッパーとして機能させることもできる。
【００４５】
次に、図１１の部分平面図と図１２の要部正面図で第３の実施形態によるアンカーボルトの支持装置に付いて説明するが、第１及び第２の実施形態の場合はアンカー連結部材３２に対してアンカーボルト２３のねじ軸２３ｂをねじ止めしていたので、下端側が直状のアンカーボルト２３のみに適用が可能であったところを、この実施形態では直状以外に下端側がＵ字状やＬ字状に湾曲したアンカーボルト５１にも適用できるように、アンカーボルト５１の下端側を連結する連結具５２をアンカー支持部Ｂに設けたものである。
【００４６】
連結具５２は、断面形状がコ字状でアンカー連結部材３２の垂直片内面側に溶接その他の固着手段で水平片が連結され、上下の水平片には上下連通状態で五角形状の挿通孔５３を穿設すると共に、垂直片にはアンカー連結部材３２の垂直片に設けた通孔から挿入された押圧ねじ５４が螺合するねじ孔が穿設されており、挿通孔５３にアンカーボルト５１を挿通して押圧ねじ５４を締め付けると、押圧ねじ５４に押圧されたアンカーボルト５１は挿通孔５３の内面に圧接し、多点支持状態で固着してアンカー支持部Ｂに連結される。
【００４７】
このように、第３の実施形態によるアンカーボルトの支持装置では、アンカー支持部Ｂに連結具５２を設けたことによって、下端側が直状のアンカーボルト２３だけではなく、下端側がＵ字状やＬ字状に湾曲したアンカーボルト５１も固定支持することができると共に、この連結具５２でもアンカーボルト２３，５１を含む上部側昇降移動を昇降移動させて高さ調整を行うことが可能であるから、連結具２８による高さ調整と併用して用いると一段と大幅な高さ調整が可能となり、少品種の支柱部材２２及びアンカーボルト２３，５１によって基礎高の異なる柱脚に適応でき、コストの低減及び部品の在庫管理の容易化を図ることができる。
【００４８】
以上のように、本発明を図示した第１〜３の実施形態に基づいて説明したが、これらの各実施形態を組み合わせた態様を採ることも可能であると共に、これらの実施形態以外でも要旨の範囲内で各種に変形した態様を採ることができ、例えば使用するアンカーボルトの本数を適宜増減させたり、丸棒で形成している支柱部材を多角形状の角棒にしたり、Ｌ字状のアングル材で形成したアンカー連結部材３２を、コ字状のチャンネル材で形成したり、支柱部材やアンカーボルトを挿通して押圧ねじで固着する五角形状の挿通孔を、同様の多点支持が可能な他の多角形状にする形態、などを採ることができる。
【００４９】
また、図示の実施形態では支柱部材としてアングル材より低コストであり且つ、小径でアンカーボルト側へ突出した際に邪魔にならない鋼棒を用いているが、従来技術と同様にアングル材の形鋼を支柱部材に用いる形態を採っても、基礎高に適合させて各アンカーボルトを一括して大幅に高さ調整することが可能であると共に、支柱部材に鋼棒又は形鋼のいずれを用いた場合であっても、アンカー支持部におけるアンカー連結部材及び連結具の構造は、図示の実施形態以外の実施形態によっても同様の効果を奏することができる。
【００５０】
例えば、内向きに開口するコ字状のチャンネル材を用いて方形枠状のアンカー連結部材を形成し、角隅部に隣接した水平片には上下連通状態で支柱部材を挿通する挿通孔を設けるが、支柱部材が鋼棒の場合には多角形状の挿通孔を穿設し、形鋼の場合には多角形状又はＬ字状の切欠き溝による挿通孔を穿設すると共に、垂直片にねじ孔を設けて押圧ねじを螺合させ、押圧ねじの締め付けで押圧した支柱部材を挿通孔の内面に圧接し、支柱部材をアンカー支持部Ｂに連結する形態を採ることができる。
【００５１】
また、上記と同様に内向きに開口するコ字状のチャンネル材を用いて方形枠状のアンカー連結部材を形成した場合に、第３の実施形態のようにアンカー連結部材に対してアンカーボルトを着脱自在に連結する構造として、アンカー連結部材には水平片に上下連通状態でアンカーボルトを挿通する多角形状の挿通孔を設けると共に、垂直片にねじ孔を設けて押圧ねじを螺合させ、押圧ねじの締め付けで押圧したアンカーボルトを挿通孔の内面に圧接し、アンカーボルトをアンカー支持部Ｂに連結する形態を採ることができる。
【００５２】
さらに、ベース部Ａの構造に付いても図示の実施形態以外の構造を採ることが可能であり、図示の実施形態ではベース部に設けた連結具の挿通孔に支柱部材を挿通すると共に、ねじ孔と螺合した押圧ねじで支柱部材を連結することによって、支柱部材の取り付けを容易にしているが、特許文献１及び特許文献と同様の実施形態を採ったり、公知の先行技術による各種の構造を適宜に採用することができる。
【図面の簡単な説明】
【００５３】
【図１】従来技術による柱脚用アンカーボルトの支持装置の全体斜視図を示す。
【図２】本発明の第１の実施形態による柱脚用アンカーボルトの支持装置の全体正面図を示す。
【図３】図２の柱脚用アンカーボルトの支持装置におけるベース部の部分平面図を示す。
【図４】図２の柱脚用アンカーボルトの支持装置におけるベース部の要部斜視図を示す。
【図５】図２の柱脚用アンカーボルトの支持装置におけるアンカー支持部の部分平面図を示す。
【図６】図２の柱脚用アンカーボルトの支持装置におけるアンカー支持部の要部斜視図を示す。
【図７】図２の柱脚用アンカーボルトの支持装置におけるテンプレート部の部分平面図を示す。
【図８】本発明の第２の実施形態による柱脚用アンカーボルトの支持装置の全体正面図を示す。
【図９】図８の柱脚用アンカーボルトの支持装置におけるベース部の部分平面図を示す。
【図１０】図８の柱脚用アンカーボルトの支持装置における中間補強部の部分平面図を示す。
【図１１】本発明の第３の実施形態による柱脚用アンカーボルトの支持装置におけるアンカー支持部の部分平面図を示す。
【図１２】図１１の柱脚用アンカーボルトの支持装置における要部正面図を示す。
【符号の説明】
【００５４】
Ａ  ベース部
Ｂ  アンカー支持部
Ｃ  テンプレート部
Ｄ  中間補強部
２０，４４  アンカーボルトの支持装置
２１  基礎地盤
２２  支柱部材
２３，５１  アンカーボルト
２３ａ，２３ｂ  ねじ軸
２４，２４Ａ，２４Ｂ，２４Ａ１，２４Ａ２，２４Ｂ１，２４Ｂ２  ベース部材
２５  ウォールアンカー
２６  スペーサ
２７，３８，３９，４２，４３  ナット
２８，３３，３４，４８，５２  連結具
２９，３７，４１  取付け孔
３０，４９，５３  挿通孔
３１，３６，５０，５４  押圧
３２  アンカー連結部材
３５  支圧板
４０  テンプレート
４５  杭頭部
４６，４６Ａ，４６Ｂ  補強部材
４７  補助アングル
【図１】
2005282208.tif 000003
【図２】
2005282208.tif 000004
【図３】
2005282208.tif 000005
【図４】
2005282208.tif 000006
【図５】
2005282208.tif 000007
【図６】
2005282208.tif 000008
【図７】
2005282208.tif 000009
【図８】
2005282208.tif 000010
【図９】
2005282208.tif 000011
【図１０】
2005282208.tif 000012
【図１１】
2005282208.tif 000013
【図１２】
2005282208.tif 000014